(57)【要約】【課題】プラスチック製通気材であって、十分な面強度を有すると共に、良好な通気性能及び防雨、防雪性能を有し、しかも低コストにて容易に製造することができる通気材及びそれを用いた換気装置を提供することを課題とする。【解決手段】連続的にループを形成した硬質プラスチック製ループ線材を多数本交絡させて平板状に形成したループ層２から成る。好ましくは、前記ループ層２の上面及び／又は下面に、前記ループ層２を平坦に圧潰した支持層３が配置される。前記ループ層２におけるループは、適宜押圧変形されることがある。また、上記いずれかの通気材を複数積層して通気材を構成することがあり、更に、前記通気材の上面及び／又は下面に、プラスチックプレートが定着されることもある。【選択図】図２
2006336222.tif 000002
【特許請求の範囲】
【請求項１】
連続的にループを形成した硬質プラスチック製ループ線材を多数本交絡させて平板状に形成したループ層から成ることを特徴とする通気材。
【請求項２】
前記ループ層の上面及び／又は下面に、前記ループ層を平坦に圧潰した支持層を配置した請求項１に記載の通気材。
【請求項３】
前記ループ層におけるループは適宜押圧変形されている請求項１又は２のいずれかに記載の通気材。
【請求項４】
請求項１乃至３のいずれかに記載の通気材を積層して成る通気材。
【請求項５】
前記通気材の上面及び／又は下面に、プラスチックプレートを定着した請求項１乃至４のいずれかに記載の通気材。
【請求項６】
請求項１乃至５のいずれかに記載の通気材を山形に成形して成る換気装置。
【請求項７】
請求項１乃至５のいずれかに記載の通気材を一対、前記支持層を介して山形に連結した請求項６に記載の換気装置。
【請求項８】
請求項５に記載の通気材を一対山形に連結して成る換気装置であって、前記通気材の上面のプラスチックプレートは、連続する１枚のプレートであって、その中間部において折曲可能であることを特徴とする換気装置。
【発明の詳細な説明】
【技術分野】
【０００１】
本発明は通気材及びそれを用いた換気装置、より詳細には、例えば寄せ棟屋根の棟部に設置されて、風雨、風雪時等において雨水や雪を屋内に進入させることなく、屋内外の換気を十分に行う棟換気材として、あるいは、家屋の軒下天井ボード部分や土台水切り部分等に設置されて躯体換気を行う換気材等として用いられる通気材及びそれを用いた換気装置に関するものである。
【背景技術】
【０００２】
近年、建築される建物の多くは、壁を通して浸透してくる室内からの湿った空気を室外に流出させるための通気層を外壁と内壁との間に備え、また、軒下及び／又は棟部に換気口を設けた構造となっている。この通気層並びに風下側の軒下換気口から建物内に流入した空気は、屋根裏を通って外部に流出する。そのため、従来より屋根裏には、種々の形状を有する換気口あるいは換気装置が設けられている。
【０００３】
図５は従来の棟換気材の代表例を示すもので、幅方向に貫通する多数の細い通気孔１５を連設した２枚のプラスチック製板状の通気材１２、１３を接合テープ１４で止め、通気材１２、１３の対向面を斜面にすることにより、テ−プ１４の所から逆Ｖ字形に折曲し得るようになっている（特開平２−２７２１５３号）。この棟換気装置は、屋根の棟に逆Ｖ字形にして取り付けられることにより、屋根裏の通気口から出た屋内の湿った空気を、その通気孔１５の内側（屋内側）開口部から外側（屋外側）開口部に通流させて外部に排出させるものである。
【０００４】
この棟換気材における通気孔１５は幅方向、即ち、通気材１２、１３の長さ方向に対し直角方向に十分に長く形成され、且つ、棟に逆Ｖ字形に配置されるため、その細さと相俟って、屋根に沿って吹き上ってくる雨水や雪が屋内に進入することを阻止することができる。
【０００５】
上記プラスチック製通気材１２、１３の製造方法としては、幅方向に貫通する通気孔を全長に亘って連設したプラスチックプレートを複数枚積層し、前記積層したプラスチックプレートをヒートカッターにて切断し、該切断面を熱融着固定する方法（特許第２６８３１０９号）が知られている。
【０００６】
この製造方法は、ヒートカッターで溶断することにより、切断と同時に上下のプラスチックプレート同士を熱融着するものであるが、その作業はヒートカッターを一定温度に保ちつつ、一定速度で相対的に移動させなければならず、作業に時間がかかる。即ち、切断時間を短縮するために温度を上げ過ぎたり、切断速度を速くしたりすると、過度に溶融が起こり、きれいな仕上がりが期待できなくなる。
【０００７】
また、棟換気材の場合には、その上に棟瓦等が載せられるためにある程度の面強度が必要となるが、上記従来の通気材１２、１３の場合において十分な面強度を出すためには、プラスチックプレートとして厚手のものを用いる必要がある。しかし、プラスチックプレートの開口形成部位を厚手にすると、その分通気路の開口面積が減ることになり、通気性能が低下し、また、重量が嵩むという問題を生ずる。
【特許文献１】特開平２−２７２１５３号公報
【特許文献２】特許第２６８３１０９号公報
【発明の開示】
【発明が解決しようとする課題】
【０００８】
本発明は上述したような従来技術における問題点を解決するためになされたもので、上記用途に用いられるプラスチック製通気材であって、十分な面強度を有すると共に、良好な通気性能及び防雨、防雪性能を有し、しかも低コストにて容易に製造することができる通気材及びそれを用いた換気装置を提供することを課題とする。
【課題を解決するための手段】
【０００９】
上記課題を解決するための請求項１に記載の発明は、連続的にループを形成した硬質プラスチック製ループ線材を多数本交絡させて平板状に形成したループ層から成ることを特徴とする通気材である。
【００１０】
好ましくは、前記ループ層の上面及び／又は下面に、前記ループ層を平坦に圧潰した支持層が配置される。前記ループ層におけるループは、適宜押圧変形されることがある。
【００１１】
また、上記いずれかの通気材を複数積層して通気材を構成することがあり、更に、前記通気材の上面及び／又は下面に、プラスチックプレートが定着されることもある。
【００１２】
上記課題を解決するための請求項６に記載の発明は、上記通気材のいずれかを用い、それを山形に成形して成る換気装置である。
【００１３】
この換気装置は、前記通気材を一対、前記支持層及び／又はプラスチックプレートを介して山形に連結して構成することができ、その場合、前記一対の通気材の上面の前記支持層／又は前記プラスチックプレートが、連続する１枚の支持層又はプラスチックプレートであって、その中間部において折曲可能にして構成することができる。
【発明の効果】
【００１４】
本発明に係る通気材は、多数のループによって構成されるループ層から成るために十分な強度と通気性とを併せ持ち、支持層及び／又はプラスチックプレートを備える場合は更に強度と保形性が高まって、十分な面強度を有し、且つ、通気材として十分な通気性が確保される。また、ループ層においてはループがランダムに交絡しているために偏曲点が多くでき、雨雪等の進入が確実に阻止される効果がある。
【発明を実施するための最良の形態】
【００１５】
本発明を実施するための最良の形態につき、添付図面に依拠して説明する。本発明に係る通気材１は、ループ線材１０で構成されるループ層２から成る。
【００１６】
ループ層２は、ポリプロピレン等の硬質プラスチック製線材を加工して連続的にループを形成したループ線材１０を多数本交絡させ、互いに接着又は溶着して一体化して平板状に形成したものである。通例、平板化は、加熱押圧することによって行うためにループが変形するが、通気空間８は十分に保持されるため、通気性が阻害されることはない。
【００１７】
このループ層２の耐圧強度は、用いるプラスチック製線材の種類及び太さを選択することによって調整することができる。また、ループの径を選択することによって通気性能を調整することも可能となる。
【００１８】
図示した例（図１（Ｂ））では、ループ層２の上面及び下面に、ループを完全に圧潰した支持層３を備える。この支持層３は、ループ層２の強度向上と保形力の向上に資するもので、その上面又は下面に、あるいは、両面に、溶着、接着等によって一体的に定着する。支持層３を構成するループ線材として、ループ層２を構成するループ線材よりも細径のものを用いることもある。なお、図１（Ｂ）における矢印Ａは通気方向を示している。
【００１９】
更に図示した例（図１（Ｂ））では、強度及び保形力をより高めるために、支持層３の上にプラスチックプレート４を定着している。プラスチックプレート４としては、例えば、一端面から他端面に抜ける通気路を並設したプレートを用い、これをループ層２の上面及び下面に接着固定する。
【００２０】
図２及び図３に示す実施形態は、本発明に係る通気材１を利用して棟換気装置を構成したものである（図２及び図３においては、構成把握の便宜上、一番手前のループ内を空白に示してあるが、実際には、その奥側の交絡するループが見える。図１（Ｂ）及び図４も同様である。）。
【００２１】
図２に示す実施形態は、ループ層２の上下面に支持層３を配備した通気材１を一対、上面の支持層３を介して連結したものである。図示された例では、上面の支持層３は１枚の連続したものとされ、これに２つのループ層２が間隔を置いて定着され、各ループ層２の内端側２ａが斜めに押し潰されている。このように内端側２ａが押し潰されることによりそこに空間部ができるが、この空間部分は、棟開口から排出される小屋裏内の空気の導入部５となる。
【００２２】
なお、この実施形態の変形例として、１つの通気材１の中間部を圧潰して空気導入部５を形成しつつ、全体を成形し、中間圧潰部から折曲して図２に示すような形状とする方法も考えられる。
【００２３】
図３に示す実施形態は、プラスチックプレート４を備える通気材１を利用したもので、一対の通気材１、１の上面のプラスチックプレート４、４は、連続した１枚の大きなプラスチックプレートであって、その中間部が折曲可能にされている。そして、その中間折曲部６から折曲することにより、山形を呈するように構成される。その場合、各通気材１、１のループ層２、２は、その突き合わせ部間に空間部、即ち、空気導入部５ができるように、離隔される。
【００２４】
これらの棟換気装置は、棟開口上に覆い被せるように配置し（空気導入部５が棟開口上に位置する。）、釘止め等によって野地板に固定する。なお、図３における符号７は発泡プラスチック製のクッション材を示しており、必要に応じて下面側のプラスチックプレート４に接着固定される。このクッション材７は、適当に潰れながら野地板面に密着し、下方から吹き上がってくる雨雪等の小屋裏内への進行を阻止する。
【００２５】
上記実施形態におけるループ層２は一層であるが、これを複数積層して構成することもできる。その場合は、例えば、プラスチックプレート４、支持層３、ループ層２、支持層３、ループ層２、支持層３、プラスチックプレート４の順に重ねて一体化する構成が考えられる（図４（Ａ））。また、中間の支持層３を省いてループ層２同士を接着・溶着することもでき、あるいは、中間にプラスチックプレート４を挟みこむ構成（図４（Ｂ））とすることもできる。
【００２６】
本発明に係る通気材１は、多数のループによって構成されるループ層２から成るために十分な強度と通気性とを併せ持ち、更に支持層３及び／又はプラスチックプレート４を有することによって、十分な面強度が備わり、且つ、通気材として十分な通気性が確保される。また、ループ層２においてはループがランダムに交絡しているために多くの偏曲点ができ、以て雨雪等の進入が確実に阻止される。
【００２７】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２８】
【図１】本発明に係る通気材の構成例を示す図である。
【図２】本発明に係る通気材を利用した棟換気装置の構成例の斜視図である。
【図３】本発明に係る通気材を利用した棟換気装置の他の構成例の斜視図である。
【図４】本発明に係る通気材の他の構成例を示す図である。
【図５】従来の換気装置の構成例を示す図である。
【符号の説明】
【００２９】
１    通気材
２    ループ層
３    支持層
４    プラスチックプレート
５    空気導入部
６    中間折曲部
７    クッション材
８    通気空間
１０  ループ線材
１２  通気材
１３  通気材
１４  接合テープ
１５  通気孔
【図１】
2006336222.tif 000003
【図２】
2006336222.tif 000004
【図３】
2006336222.tif 000005
【図４】
2006336222.tif 000006
【図５】
2006336222.tif 000007